(57)【要約】  本発明は、冷媒を圧縮するための圧縮機（１）と、装置に吸込まれた空気に対して放熱する第一熱交換器（３）と、装置に吸込まれた空気から吸熱する第二熱交換器（４）と、放熱された空気を外に吹出すための循環送風部（２）とを備える。さらに本発明は、圧縮機（１）と、循環送風部（２）と、第一熱交換器（３）と、第二熱交換器（４）とが底板（５）に固定される。さらに本発明は、圧縮機（１）と循環送風部（２）と第一熱交換器（３）と第二熱交換器（４）とを収納するように底板（５）に上方から着脱自在に固定される外枠（７）とを備える。これにより、組み立ておよびメンテナンスを容易にできる換気空調装置を提供する。
2011007541.tif 000002
【特許請求の範囲】
【請求項１】
冷媒を圧縮するための圧縮機と、
装置に吸込まれた空気に対して放熱する第一熱交換器と、
前記装置に吸込まれた空気から吸熱する第二熱交換器と、
前記放熱された空気を前記装置外に吹出すための循環送風部と、
前記圧縮機と前記第一熱交換器と前記第二熱交換器と前記循環送風部とが固定された底板と、
前記圧縮機と前記第一熱交換器と前記第二熱交換器と前記循環送風部とを上方から収納する外枠と、
を備え、
前記底板は前記外枠に着脱自在に取り付けられている
換気空調装置。
【請求項２】
前記圧縮機、前記循環送風部、前記第一熱交換器および前記第二熱交換器のうちの少なくとも１つと、前記底板との間に、前記少なくとも１つに対応する固定台をさらに備えた
請求項１記載の換気空調装置。
【請求項３】
前記底板に固定される支持固定台をさらに備え、
前記支持固定台は、前記第一熱交換器と前記第二熱交換器を固定する
請求項１記載の換気空調装置。
【請求項４】
前記底板と前記固定台とを、
前記圧縮機、前記循環送風部、前記第一熱交換器および前記第二熱交換器ごとに分割した
請求項２記載の換気空調装置。
【請求項５】
前記圧縮機と前記循環送風部と前記第一熱交換器と前記第二熱交換器とのうち少なくとも２つ以上を１つの前記固定台に固定した
請求項２記載の換気空調装置。
【請求項６】
前記底板は、
前記圧縮機を下から支える圧縮機底板と、
前記循環送風部を下から支える循環送風部底板と、
前記第一熱交換器および前記第二熱交換器を下から支える熱交換器底板と、により構成された
請求項５記載の換気空調装置。
【請求項７】
圧縮機用支持部材が前記圧縮機を固定する前記固定台の底面にさらに備えられた
請求項５記載の換気空調装置。
【請求項８】
熱交換器用支持部材が前記第一熱交換器または前記第二熱交換器の下部に設けた前記固定台の底面にさらに備えられた
請求項２記載の換気空調装置。
【請求項９】
前記外枠は、樹脂製であることを特徴とする
請求項１記載の換気空調装置。
【請求項１０】
前記外枠に取付部材をさらに備えた
請求項１記載の換気空調装置。
【請求項１１】
前記取付部材は、吊金具を有することを特徴とする
請求項１０記載の換気空調装置。
【発明の詳細な説明】
【技術分野】
【０００１】
本発明は、浴室に取り付ける換気空調装置に関する。
【背景技術】
【０００２】
従来の浴室に取り付けられる換気空調装置について図１２を用いて説明する。【０００３】
図１２は室内用に取り付けられた従来の換気空調装置を示す浴室取付斜視図である。図１２において、換気空調装置１０１は浴室１０２の天井１０３の内側に取り付けられている。換気空調装置１０１は、屋根裏の建築物側の天井から垂下させたボルト１０４を、換気空調装置１０１に設けられた吊り金具１０５に取り付けて固定されている。これら建築物側の天井から垂下させたボルト１０４の長さを調整することによって、換気空調装置１０１が浴室１０２の天井１０３の内部に取り付けられている。【０００４】
このように従来は、建築物側の天井から垂下させたボルト１０４で換気空調装置１０１が取り付けられていた。そのため、換気空調装置１０１の内部に設置されている送風器、熱交換器等をメンテナンスする時、手間や時間がかかった。なぜならば、作業者は、まず、天井内に上り、換気空調装置１０１を、ボルトを緩めて建築物側の天井から取り外す。その後、換気空調装置１０１の外枠を外し、換気空調装置１０１内部に設置されている送風器や熱交換器などの部品を外す構造になっていたからである。
【先行技術文献】
【特許文献】
【０００５】
【特許文献１】実開平５−１３３９７号公報
【発明の概要】
【０００６】
本発明に係る換気空調装置は、冷媒を圧縮するための圧縮機と、装置に吸込まれた空気に対して放熱する第一熱交換器と、装置に吸込まれた空気から吸熱する第二熱交換器と、放熱された空気を外に吹出すための循環送風部とを備える。また、本発明に係る換気空調装置は、圧縮機と第一熱交換器と第二熱交換器と循環送風部が底板に固定される。そして、本発明に係る換気空調装置は、これら圧縮機と第一熱交換器と第二熱交換器と循環送風部とを収納するように底板に上方から着脱自在に固定される外枠を備える。
【図面の簡単な説明】
【０００７】
【図１】図１は本発明の換気空調装置内の空気の流れの模式図である。
【図２】図２は本発明の実施の形態１における換気空調装置の分解斜視図である。
【図３】図３は本発明の実施の形態２における換気空調装置の要部の分解斜視図である。
【図４】図４は本発明の実施の形態３における換気空調装置の熱交換器の分解斜視図である。
【図５】図５は本発明の実施の形態４における換気空調装置の圧縮機の取付状態を示す分解斜視図である。
【図６】図６は本発明の実施の形態５における換気空調装置の分解斜視図である。
【図７】図７は本発明の実施の形態６における換気空調装置の分解斜視図である。
【図８】図８は本発明の実施の形態７における換気空調装置の分解斜視図である。
【図９】図９は本発明の実施の形態８における換気空調装置の分解斜視図である。
【図１０】図１０は本発明の実施の形態９における換気空調装置の浴室取付斜視図である。
【図１１】図１１は本発明の実施の形態１０における換気空調装置の分解斜視図である。
【図１２】図１２は従来の換気空調装置の浴室取付斜視図である。
【発明を実施するための形態】
【０００８】
本発明の実施の形態を説明する前に、本発明の換気空調装置の動作について図１を用いて簡単に説明する。図１は本発明の換気空調装置内の空気の流れを示す模式図である。図１において、第一熱交換器３は、吸込口３Ａから吸込まれた浴室内の空気を加熱し、第一熱交換器３によって温められた空気は吹出口２Ａから浴室内に吹き出される。この空気の流れは、循環送風部２の内部に設けられているファン２Ｂの回転によって生じる。
【０００９】
室内から屋外に空気を排出するための排気送風部としての直方体状の換気ボックス４Ｂ内の排気ファン４Ｇにより吸込口４Ｄ（居室に向かって開口）から吸込み、外枠７に設けた開口部４Ｆを通過した空気は第一熱交換器３と逆の作用をする第二熱交換器４で熱交換され、開口部４Ｃを通過し換気ボックス４Ｂの開口部４Ｅから換気空調装置の外（屋外）に排出される。
【００１０】
換気空調装置を乾燥機として使用する場合、除湿された温風が必要となり、吸込口４Ａから吸込まれた空気は、第二熱交換器４によって吸熱され、水分が除去される。水分が除去された空気は、第一熱交換器３によって加熱され、除湿された温風となり、吹出口２Ａから浴室内に吹き出される。
【００１１】
（実施の形態１）
図２は本発明の実施の形態１における換気空調装置を示す分解斜視図である。図２において、本実施の形態１の換気空調装置は、冷媒を圧縮する圧縮機１と、通過する空気に対して放熱して空気を温める第一熱交換器３と、通過する空気から吸熱して空気を冷却する第二熱交換器４と、第一熱交換器３によって放熱された空気を浴室内に吹出す循環送風部２を備える。さらに、本実施の形態１の換気空調装置は、圧縮機１と第一熱交換器３と第二熱交換器４と循環送風部２とが、それぞれ固定ねじ６で固定される底板５を備える。さらに、本実施の形態１の換気空調装置は、、圧縮機１と第一熱交換器３と第二熱交換器４と循環送風部２とを上方から収納するように覆う外枠７を備える。底板５は、外枠７に下部ねじ８で脱着自在に取り付けられている。
【００１２】
上記構成により、作業者は、浴室の天井に登ることなく、浴室内で容易に圧縮機１と第一熱交換器３と第二熱交換器４と循環送風部２とをメンテナンスできる。すなわち、作業者は、浴室内で外枠７と底板５を結合している下部ねじ８を外すだけで、底板５に配置された圧縮機１、循環送風部２、第一熱交換器３および第二熱交換器４を浴室内まで降ろすことができる。
【００１３】
また、本実施の形態１によれば、工場での組み立て作業が容易である。例えば、作業者の腰のあたりに作業台を設け、底板５を作業台の上に置く。そして、底板５に圧縮機１、循環送風部２、第一熱交換器３および第二熱交換器４を設置し、上から上部ねじ６で固定する。このように組立て作業を行えば、ねじ穴６Ａを見ながら上部ねじ６を留めれるので、作業が容易である。
【００１４】
なお、本実施の形態１の換気空調装置は、室内から屋外に空気を排出するための換気ボックス４Ｂが換気空調装置の側面に備えられているが、換気空調装置の内部に換気ボックス４Ｂを備えてもよい。また、この時、換気ボックス４Ｂの内部に第二熱交換器４が収納されていても、されていなくてもよい。
【００１５】
（実施の形態２）
図３は本発明の実施の形態２における換気空調装置の分解斜視図である。図３において、実施の形態１と異なる点は、図２の底板５と圧縮機１の間に、樹脂製の圧縮機固定台９を設けた点である。
【００１６】
圧縮機固定台９は圧縮機１の胴体を支えるため、圧縮機１と反対側に円形状の凸部を形成している円形凸部１０を有する。円形凸部１０の上部に圧縮機１の胴体が位置するように構成されている。圧縮機１は、脚１１を有する。脚１１は、圧縮機１の三角形状の底面の各頂点部分に形成されている凸部であり、脚１１の先端には穴が開いている。この先端に開いている穴を先端穴という。圧縮機固定台９は脚１１を支えるための支柱１２を有する。脚１１の先端穴に、中心に穴が空いた防振ゴム１３を取り付けられている。支柱１２には、防振ゴム１３が取り付けられた脚１１の先端穴が挿入され、圧縮機１は圧縮機固定台９に上方から上部ねじ６で固定されている。配管１４は、例えば図２に示される第一熱交換器３と第二熱交換器４とで連結されている。
【００１７】
上記構成により、作業者は、圧縮機固定台９の支柱１２で圧縮機１の位置決めしやすくなる。したがって、圧縮機１の組み立て時に、設置する位置のばらつきを少なくすることが可能である。また、圧縮機固定台９は樹脂製であるため、軽量でかつ容易に位置決め可能である。さらに、圧縮機１は樹脂製の圧縮機固定台９で固定されているため、強度が高く圧縮機１とつながれた配管１４のひっぱりで圧縮機１は配管側に傾斜することはない。
【００１８】
なお、本実施の形態２においては固定台として圧縮機固定台９を備えているが、この構成に限るものではない。例えば、図２に示される圧縮機１以外の第一熱交換器３、第二熱交換器４、循環送風部２についても、底板５に固定するための固定台を設けるようにしてもよい。すなわち、圧縮機１、循環送風部２、第一熱交換器３および第二熱交換器４のうち少なくとも一つと、底板５との間に、少なくとも１つに対応する開口部を有する固定台を設ける。これにより、作業者は、換気空調装置を組み立てる際の位置のばらつきを少なくすることができる。
【００１９】
（実施の形態３）
図４は本発明の実施の形態３における熱交換器の分解斜視図である。図４において、第一熱交換器３および第二熱交換器４は支持固定台１５に固定される。
【００２０】
支持固定台１５は山状の突起１６を複数個設けて形成されている。そして、熱交換器のヘヤピン１７やＵベンド１８の等間隔に空いた部分に、支持固定台１５の山状の突起１６が挿入される。支持固定台１５を例えば、図２に示される底板５に取り付けることで、第一熱交換器３および第二熱交換器４とを底板に固定できる。
【００２１】
上記構成により、第一熱交換器３と第二熱交換器４は、支持固定台１５の山状の突起１６に固定されるため、第一熱交換器３および第二熱交換器４は、取り付け位置ずれがなくなり、工場での組立て作業が容易である。
【００２２】
（実施の形態４）
図５は本発明の実施の形態４における圧縮機の取付状態を示す分解斜視図である。図５において、実施の形態２と異なる点は、底板５を圧縮機固定台９の大きさに分割し、圧縮機１を下方から支える圧縮機底板２２を備えた点である。また、圧縮機固定台９は、圧縮機１を載せる部分に隣接して形成されたほぼ四角形状（四角形を含む）の穴である開口部１９を備える。本実施の形態４では、圧縮機１は圧縮機固定台９に上方からねじで固定されている。そして、圧縮機固定台９は底板５に上方からねじで固定されている箇所と同じ箇所に下方からねじで固定されている。また、配管１４は、例えば図２に示される第一熱交換器３と第二熱交換器４とで連結されている。なお、端子接続部２０とは、圧縮機１に電源を供給するロード線の接続部である。膨張弁コイル２１とは、膨張弁を駆動させるためのリード線である。
【００２３】
上記構成により、作業者は、圧縮機１下部の圧縮機底板２２を外せば、圧縮機固定台９の開口部１９から、端子接続部２０や膨張弁コイル２１が開口部１９から確認が可能である。これにより、換気空調装置を取り外すことなく圧縮機１の端子接続部２０に接続するリード線や膨張弁コイル２１などの部品を交換可能である。
【００２４】
なお、本実施の形態４においては開口部１９から端子接続部２０や膨張弁コイル２１の確認をしているが、例えば、配管１４の中の冷媒を圧縮機１の中にためこみ、開口部１９から配管１４を取り外してもよい。これにより、圧縮機１のみを容易に取り外すことが可能である。
【００２５】
なお、圧縮機底板２２は、底板５を分割して作成したものである必要はなく、別の材料、別の方法で作成してもよい。
【００２６】
（実施の形態５）
図６は本発明の実施の形態５における換気空調装置の分解斜視図である。図６において、第一熱交換器３と第二熱交換器４が熱交換器固定台２３に装着されている。
【００２７】
上記構成により、作業者は、底板５の圧縮機底板２２以外の部分のみを取り外せば、換気空調装置全体を取り外すことなく、熱交換器固定台２３に装着された第一熱交換器３と第二熱交換器４の部品の交換や点検ができる。
【００２８】
（実施の形態６）
図７は本発明の実施の形態６における換気空調装置の分解斜視図である。図７において、底板５は圧縮機底板２２と循環送風部底板２６と熱交換器底板２７とに分割されている。圧縮機底板２２は、圧縮機固定台９によって固定された圧縮機１である圧縮機部２４を下から支える。循環送風部底板２６は循環送風部２を下から支える。熱交換器底板２７は熱交換器固定台２３によって固定された第一熱交換器３および第二熱交換器４を下から支える。これら圧縮機底板２２、循環送風部底板２６、熱交換器底板２７は、底板５の下部からねじで外枠７に固定される。
【００２９】
上記構成により、作業者は、圧縮機底板２２、循環送風部底板２６、熱交換器底板２７のうちメンテナンスしたい箇所を外せば、換気空調装置全部を降ろすことなく圧縮機部２４、熱交換器部２５、循環送風部２の部品の交換や点検ができる。
【００３０】
なお、本実施の形態６において、圧縮機部２４、熱交換器部２５をそれぞれ取り外したい場合は、例えば、図３に示されるような配管１４の中の冷媒を圧縮機１の中にためこみ、開口部１９から配管１４を取り外してもよい。これにより、圧縮機部２４または熱交換器部２５を容易に取り外すことが可能である。
【００３１】
また、本実施の形態６では圧縮機１の下方に圧縮機固定台９、第一熱交換器３および第二熱交換器４の下方に熱交換器固定台２３を備えたが、圧縮機固定台９または熱交換器固定台２３を備えない構成としてもよい。
【００３２】
さらに、圧縮機底板２２、循環送風部底板２６、熱交換器底板２７、底板５を分割して作成したものである必要はなく、別の材料、別の方法で作成してもよい。
【００３３】
（実施の形態７）
図８は実施の形態７における換気空調装置の分解斜視図である。図８において、圧縮機１を固定する圧縮機固定台９に圧縮機支持部材であるリブ２８Ａを設けている。
【００３４】
リブ２８Ａは板状であり、リブ２８Ａは圧縮機固定台９の底面２９Ａの上下左右方向に設けられている。板状のリブ２８Ａは、圧縮機１とは反対側に凸の断面形状を有する。
【００３５】
上記構成により、圧縮機１による底面２９Ａの撓みや割れによる変形は、凸形状のリブ２８Ａで強度を持たせることによって防止される。従って、圧縮機固定台９の板厚を増やすことなく、材料費の低減や重量の低減が可能である。
【００３６】
（実施の形態８）
図９は本発明の実施の形態８における換気空調装置の分解斜視図である。図９において、第一熱交換器３と第二熱交換器４の下部に設けた熱交換器固定台２３に熱交換器支持部材である複数のリブ２８Ｂを設けている。
【００３７】
リブ２８Ｂは板状であり、リブ２８Ｂは熱交換器固定台２３の底面２９Ｂに上下左右方向に設けられている。板状のリブ２８は、熱交換器固定台２３とは反対側に凸の断面形状を有する。
【００３８】
上記構成により、熱交換器固定台２３の強度は、板厚を増やすことなく板状のリブ２８の使用のみによって向上するので、材料費の低減や重量の低減ができる。
【００３９】
（実施の形態９）
図１０は本発明の実施の形態９における換気空調装置の分解斜視図である。図１０において、本実施の形態９の外枠７は、樹脂製であり、外枠７は外壁３０、内壁３１の２重構造の壁から構成され、外壁３０と内壁３１の間は真空状態である。外枠７は樹脂製であるため、不燃性であり、強固かつ軽量である。
【００４０】
上記構成により、換気空調装置の断熱性能を高めることができるため、換気空調装置が周囲温度の影響を受けにくくなる。よって、換気空調装置内における結露を防止できる。また、外枠７は外壁３０と内壁３１との間に真空状態の空気層を備えることで断熱を行う。よって、従来の板金や発泡材を用いた断熱材に比べ、高い断熱性能を実現するとともに軽量化も実現できる。
【００４１】
（実施の形態１０）
図１１は本発明の実施の形態１０における換気空調装置の分解斜視図である。図１１において、本実施の形態１０の換気空調装置は、吊り金具３５を有した取付部材である吊り枠３２によって建物の天井に取り付けられている。
【００４２】
浴室天井３３に換気空調装置を取り付ける天井開口３４が設けられ、その天井開口３４に吊り金具３５を有した吊り枠３２が備えられている。この吊り枠３２の四隅には吊り金具３５が設けられ、建物の天井から下ろしたボルト３６で固定されている。
【００４３】
本実施の形態１０の換気空調装置は、浴室内から吊り枠３２の天井開口３４に挿入される。循環送風部２を固定した循環送風部底板２６、圧縮機部２４を固定した圧縮機底板２２、熱交換器２３を固定した熱交換器底板２７は、換気空調装置の内部に収納される。吊り枠３２と換気空調装置は、外枠７の内部から換気空調装置の外部に向かってねじで脱着可能に固定されている。
【００４４】
上記構成により、作業者は、浴室内から換気空調装置を取付、取外しすることが可能である。また、作業者は、浴室の天井に登ることなく浴室内から、メンテナンス可能である。
【産業上の利用可能性】
【００４５】
本発明によれば、組み立ておよびメンテナンス作業が容易にできる換気空調装置が提供される。
【符号の説明】
【００４６】
１    圧縮機
２    循環送風部
２Ａ    吹出口
２Ｂ    ファン
３    第一熱交換器
３Ａ，４Ａ，４Ｄ    吸込口
４    第二熱交換器
４Ｂ    換気ボックス
４Ｃ，４Ｅ，４Ｆ，１９    開口部
４Ｇ    換気ファン
５    底板
６    上部ねじ
６Ａ    ねじ穴
７    外枠
８    下部ねじ
９    圧縮機固定台
１０    円形凸部
１１    脚
１２    支柱
１３    防振ゴム
１４    配管
１５    支持固定台
１６    山状の突起
１７    ヘヤピン
１８    Ｕベンド
２０    端子接続部
２１    膨張弁コイル
２２    圧縮機底板
２３    熱交換器固定台
２４    圧縮機部
２５    熱交換器部
２６    循環送風部底板
２７    熱交換器底板
２８Ａ，２８Ｂ    リブ
２９Ａ，２９Ｂ    底面
３０    外壁
３１    内壁
３２    吊り枠
３３    浴室天井
３４    天井開口
３５    吊り金具
３６    ボルト
【図１】
2011007541.tif 000003
【図２】
2011007541.tif 000004
【図３】
2011007541.tif 000005
【図４】
2011007541.tif 000006
【図５】
2011007541.tif 000007
【図６】
2011007541.tif 000008
【図７】
2011007541.tif 000009
【図８】
2011007541.tif 000010
【図９】
2011007541.tif 000011
【図１０】
2011007541.tif 000012
【図１１】
2011007541.tif 000013
【図１２】
2011007541.tif 000014
【国際調査報告】
2011007541.tif 000015
2011007541.tif 000016
2011007541.tif 000017
2011007541.tif 000018